(57)【要約】【課題】汎用性に優れコンピュータに接続された電子機器に専用の構造を設けることなく安価に遠隔制御を行う。【解決手段】操作キー１１を操作すると、操作された操作キー１１に対応した赤外線信号Ｓが発光素子１５から出射される。出射された赤外線信号Ｓは受光素子２４に入射される。受光素子２４は受光した赤外線信号Ｓに対応する検出信号を生成し増幅回路５１に供給する。増幅回路５１からの検出信号がデコード回路５２でデコードされることによりデータコードがインターフェース回路５３を介してコンピュータ６０に供給されコンピュータ６０は供給されたデータコードを制御データとして入力しプロジェクタ７０のページ送り動作などを行う。【選択図】図１
2006179995.tif 000002
【特許請求の範囲】
【請求項１】
操作部材を有し該操作部材の操作に応じた入力データを生成する入力手段と、前記入力データをデータコードに変換するエンコード手段と、前記データコードに対応した無線信号を送信する送信手段とを有する送信装置と、
前記無線信号を受信して検出信号を生成する受信手段と、前記検出信号に基づいて前記データコードを復調するデコード手段と、コンピュータに接続され、前記デコード手段により復調されたデータコードを該データコードに対応付けられ前記コンピュータが処理可能な制御データに変換して出力するインターフェース手段とを有する受信装置とを備え、
前記コンピュータには、該コンピュータから供給されるデータによって動作する電子機器が接続され、
前記コンピュータは前記インターフェース手段から供給される前記制御データに基づいて前記電子機器に前記データを供給するように構成されている、
ことを特徴とする遠隔制御システム。
【請求項２】
前記電子機器はスクリーンに画像を表示するプロジェクタであり、前記コンピュータは該コンピュータにインストールされたアプリケーションプログラムを実行することによって、前記プロジェクタに前記画像を表示させるための映像信号を供給するように構成され、前記制御データは前記アプリケーションプログラムの動作を制御する信号であることを特徴とする請求項１記載の遠隔制御システム。
【請求項３】
前記アプリケーションプログラムは、前記プロジェクタによって前記画像を１ページずつスライドショー形式でスクリーンに表示させるものであり、前記制御データは前記プロジェクタにより前記スクリーンに表示する画像を１ページ分送る動作、および、前記プロジェクタにより前記スクリーンに表示する画像を一様な黒色あるいは一様な白色として表示させる動作の双方あるいは何れか一方の動作を前記プロジェクタに行わせる制御データであることを特徴とする請求項２記載の遠隔制御システム。
【請求項４】
前記無線信号は赤外線信号であることを特徴とする請求項１記載の遠隔制御システム。
【請求項５】
前記無線信号は赤外線信号であり、前記送信手段による前記無線信号の送信は、所定のキャリア周波数でオン／オフされる赤外線信号を「０」と「１」の２値に応じて変調することでなされることを特徴とする請求項１記載の遠隔制御システム。
【請求項６】
前記コンピュータは、コンピュータに設けられている入力装置用のインターフェースと、この入力装置用のインターフェースとは別に設けられた汎用インターフェースとを備え、前記インターフェース手段による前記制御データの出力は前記別に設けられた汎用インターフェースを用いて行われることを特徴とする請求項1記載の遠隔制御システム。
【請求項７】
前記汎用インターフェースはＵＳＢ（Ｕｎｉｖｅｒｓａｌ  Ｓｅｒｉａｌ  Ｂｕｓ）であることを特徴とする請求項６記載の遠隔制御システム。
【請求項８】
データコードに基づいて生成された無線信号を受信して検出信号を生成する受信手段と、
前記検出信号に基づいて前記データコードを復調するデコード手段と、
コンピュータに接続され、前記デコード手段により復調されたデータコードを該データコードに対応付けられ前記コンピュータが処理可能な制御データに変換して出力するインターフェース手段とを有する受信装置とを備え、
前記コンピュータには、該コンピュータから供給されるデータによって動作する電子機器が接続され、
前記コンピュータは前記インターフェース手段から供給される前記制御データに基づいて前記電子機器に前記データを供給するように構成されている、
ことを特徴とする受信装置。
【請求項９】
前記電子機器はスクリーンに画像を表示するプロジェクタであり、前記コンピュータは該コンピュータにインストールされたアプリケーションプログラムを実行することによって、前記プロジェクタに前記画像を表示させるための映像信号を供給するように構成され、前記制御データは前記アプリケーションプログラムの動作を制御する信号であることを特徴とする請求項８記載の受信装置。
【請求項１０】
前記アプリケーションプログラムは、前記プロジェクタによって前記画像を１ページずつスライドショー形式でスクリーンに表示させるものであり、前記制御データは前記プロジェクタにより前記スクリーンに表示する画像を１ページ分送る動作、および、前記プロジェクタにより前記スクリーンに表示する画像を一様な黒色あるいは一様な白色として表示させる動作の双方あるいは何れか一方の動作を前記プロジェクタに行わせる制御データであることを特徴とする請求項９記載の受信装置。
【請求項１１】
前記無線信号は赤外線信号であることを特徴とする請求項８記載の受信装置。
【請求項１２】
前記無線信号は赤外線信号であり、前記送信手段による前記無線信号の送信は、所定のキャリア周波数でオン／オフされる赤外線信号を「０」と「１」の２値に応じて変調することでなされることを特徴とする請求項８記載の受信装置。
【請求項１３】
前記インターフェース手段による前記制御データの出力はコンピュータに設けられている入力装置用のインターフェースとは別に設けられている汎用インターフェースを用いて行われることを特徴とする請求項８記載の受信装置。
【請求項１４】
前記汎用インターフェースはＵＳＢ（Ｕｎｉｖｅｒｓａｌ  Ｓｅｒｉａｌ  Ｂｕｓ）であることを特徴とする請求項１３記載の遠隔制御システム。
【発明の詳細な説明】
【技術分野】
【０００１】
本発明は赤外線信号などの無線信号によってコンピュータに接続された電子機器の制御を行う遠隔制御システムおよび受信装置に関する。
【背景技術】
【０００２】
パーソナルコンピュータから供給される映像信号に基づいてスクリーンに画像を表示するプロジェクタとこのプロジェクタを遠隔制御するリモコン装置を備えた遠隔制御システムが提案されている（特許文献１）。
この遠隔制御システムでは、リモコン装置から送信される制御信号を受信する受信手段と、受信した制御信号に基づいてプロジェクタの動作を制御する制御手段がプロジェクタに設けられている。
【特許文献１】特開２００２−６４８８３号公報
【発明の開示】
【発明が解決しようとする課題】
【０００３】
上述した従来の遠隔制御システムでは、プロジェクタに前記受信手段および制御手段などの専用の構造を設けることが前提となるため、このような受信手段および制御手段を備えていないプロジェクタの遠隔制御を行うことはできず汎用性に欠ける面があった。
また、このような受信手段および制御手段を備えたプロジェクタはコストを削減する上で不利があった。
本発明はこのような事情に鑑みなされたものであり、その目的は、汎用性に優れコンピュータに接続されたプロジェクタなどの電子機器に専用の構造を設けることなく安価に遠隔制御を行う上で有利な遠隔制御システムおよび受信装置を提供することにある。
【課題を解決するための手段】
【０００４】
上述の目的を達成するため、本発明の遠隔制御システムは、操作部材を有し該操作部材の操作に応じた入力データを生成する入力手段と、前記入力データをデータコードに変換するエンコード手段と、前記データコードに対応した無線信号を送信する送信手段とを有する送信装置と、前記無線信号を受信して検出信号を生成する受信手段と、前記検出信号に基づいて前記データコードを復調するデコード手段と、コンピュータに接続され、前記デコード手段により復調されたデータコードを該データコードに対応付けられ前記コンピュータが処理可能な制御データに変換して出力するインターフェース手段とを有する受信装置とを備え、前記コンピュータには、該コンピュータから供給されるデータによって動作する電子機器が接続され、前記コンピュータは前記インターフェース手段から供給される前記制御データに基づいて前記電子機器に前記データを供給するように構成されていることを特徴とする。
また、本発明の受信装置は、データコードに基づいて生成された無線信号を受信して検出信号を生成する受信手段と、前記検出信号に基づいて前記データコードを復調するデコード手段と、コンピュータに接続され、前記デコード手段により復調されたデータコードを該データコードに対応付けられ前記コンピュータが処理可能な制御データに変換して出力するインターフェース手段とを有する受信装置とを備え、前記コンピュータには、該コンピュータから供給されるデータによって動作する電子機器が接続され、前記コンピュータは前記インターフェース手段から供給される前記制御データに基づいて前記電子機器に前記データを供給するように構成されていることを特徴とする。
【発明の効果】
【０００５】
本発明の遠隔制御システムによれば、送信装置を操作して無線信号を受信装置に送信することによってコンピュータに制御データを供給し、これによりコンピュータに接続された電子機器にデータを供給することで遠隔制御を行う。
また、本発明の受信装置によれば、無線信号を受信することによってコンピュータに制御データを供給し、これによりコンピュータに接続された電子機器にデータを供給することで遠隔制御を行う。
したがって、遠隔制御を行うための専用の構成を電子機器に設ける必要が無いため、汎用性に優れるとともに、遠隔制御に要するコストを抑制する上で有利となる。
【発明を実施するための最良の形態】
【０００６】
本発明の遠隔制御システムは、送信装置により無線信号を受信装置に送信するとともに、コンピュータが受信装置のインターフェース手段から供給される制御データに基づいて電子機器にデータを供給することによって上記目的を実現した。
また、本発明の受信装置は、コンピュータが受信装置のインターフェース手段から供給される制御データに基づいて電子機器にデータを供給することによって上記目的を実現した。
【実施例１】
【０００７】
次に本発明の実施例について図面を参照して説明する。
図１は赤外線送信装置および赤外線受信装置を含む赤外線リモコン装置の一例を示すブロック図である。
図２（Ａ）は赤外線受信装置の平面図、（Ｂ）は（Ａ）のＢ矢視図、（Ｃ）は（Ａ）のＣ矢視図である。
図３（Ｄ）は図２（Ａ）のＤ矢視図、（Ｅ）は図２（Ｂ）のＥＥ線断面図、（Ｆ）は図２（Ａ）のＦＦ線断面図である。
図４は赤外線受信装置の斜視図である。
図５は赤外線受信装置がコンピュータに取り付けられた状態を示す説明図、図６は図５の要部説明図である。
図７、図８はプリズムに入射する光の説明図である。
図９は赤外線受信装置における通信可能距離の測定値を示す線図である。
【０００８】
図１に示すように、赤外線リモコン装置８は赤外線送信装置１０と赤外線受信装置５０を含んで構成され、本実施例では、赤外線リモコン装置８によって本発明の遠隔制御システムが構成され、赤外線受信装置５０によって本発明の受信装置が構成されている。
赤外線受信装置５０は、ＵＳＢ（Ｕｎｉｖｅｒｓａｌ  Ｓｅｒｉａｌ  Ｂｕｓ）などの多くのコンピュータに標準的に設けられている汎用インターフェースを介してコンピュータ６０に接続されコンピュータ６０と通信可能に構成されている。
コンピュータ６０はディスプレイ６２（図５）を有し、コンピュータ６０にインストールされているアプリケーションプログラムに基づいて動作することによって、文字や静止画あるいは動画を含む画像をディスプレイ６２に表示させるように構成されている。
また、コンピュータ６０は、スクリーンに画像を表示するプロジェクタ７０に接続されるとともに、該コンピュータ６０にインストールされたアプリケーションプログラムを実行することによって、プロジェクタ７０に前記画像を表示させるための映像信号（ビデオ信号）を供給するように構成されている。
前記アプリケーションプログラムは、プロジェクタ７０によって画像を１ページずつスライドショー形式でスクリーンに表示させるものである。
このアプリケーションプログラムを実行するコンピュータ６０は、コンピュータ６０のキーボード６１の所定のキーが操作されることで、前記スクリーンに表示する画像を１ページ分送る動作（ページ送り動作）、および、プロジェクタ７０により前記スクリーンに表示する画像を一様な黒色として表示させるブラックアウト表示の動作、前記スクリーンに表示する画像を一様な白色として表示させるホワイトアウト表示の動作などをプロジェクタ７０に実行させるように構成されている。
また、コンピュータ６０は、前記所定のキーが操作されたのと同等の制御データが入力されることで、これらページ送り動作やブラックアウト表示、ホワイトアウト表示などの動作を行うように構成されている。
プロジェクタ７０は、コンピュータ６０から供給される映像信号に基づいて画像を形成する液晶表示素子と、その液晶表示素子に光を出射させ透過させることで前記画像を形成する光線を出射させる光源と、前記液晶表示素子から出射された光線を不図示のスクリーンに結像させる光学系などを有している。
【０００９】
赤外線送信装置１０は、複数の操作キー１１と、エンコード回路１２と、変調回路１３と、増幅回路１４と、発光素子１５とを備えている。
複数の操作キー１１は、コンピュータ６０に与える操作指令が割り当てられ、操作に応じた入力データを生成するように構成されている。
エンコード回路１５は、操作キー１１から入力される前記入力データに応じて２進で表現される（「０」と「１」の組み合わせで表現される）データコードを生成するように構成されている。
変調回路１３は、前記データコードに応じてキャリア信号を変調するように構成されている。
増幅回路１４は、変調回路１３から入力される変調信号を増幅して駆動信号として出力するように構成されている。
発光素子１５は、増幅回路１４から供給される駆動信号に基づいて無線信号としての赤外線信号Ｓ（光線）を出力するように構成されている。
本実施例では、操作キー１１によって特許請求の範囲の操作部材が構成され、エンコード回路１５によって特許請求の範囲のエンコード手段が構成され、変調回路１５と増幅回路１４と発光素子１５によって特許請求の範囲の送信手段が構成されている。
【００１０】
赤外線受信装置５０は全方向受光装置２０と信号処理部５４とを備えている。
全方向受光装置２０は発光素子１５から送信された赤外線信号Ｓ（光線）を受光して検出信号（受光信号）を出力するように構成されている。
信号処理部５４は、増幅回路５１と、デコード回路５２と、インターフェース回路５３とを備えている。
増幅回路５１は、全方向受光装置２０から出力される検出信号を増幅するように構成されている。
デコード回路５２は、増幅回路５１から出力される増幅された検出信号を復調することにより前記データコードを生成するように構成されている。
インターフェース回路５３は、デコード回路５２から供給される前記データコードに割り当てられた制御データをＵＳＢのインターフェースに変換してコンピュータ６０に供給するように構成されている。
前記制御データは、コンピュータ６０が処理可能な制御データであって、本実施例では、ページ送り動作、ブラックアウト表示、ホワイトアウト表示などの動作をコンピュータ６０に行わせるものである。
本実施例では、全方向受光装置２０によって特許請求の範囲の受信手段が構成され、増幅回路５１とデコード回路５２によって特許請求の範囲のデコード手段が構成され、インターフェース回路５３によって特許請求の範囲のインターフェース手段が構成されている。
【００１１】
図２、図３に示すように、赤外線受信装置５０はケース５００２を備え、ケース５００２は、上下方向の高さと、高さよりも小さい寸法の左右方向の幅と、幅よりも小さい寸法の前後方向の厚さとを有している。
ケース５００２は上端に位置する上端壁５００４と、下端に位置する下端壁５００６と、上端壁５００４と下端壁５００６の周囲を接続する側壁５００８とを備えている。
【００１２】
ケース５００２の上部には全方向受光装置２０が設けられ、全方向受光装置２０は、プリズム２２と、受光素子２４とを備えている。
プリズム２２は、円柱状の柱体２２０２と、柱体２２０２の上端に先端に至るにつれて断面積が小さくなる円錐部２２０４とを有し、本実施例ではプリズム２２は透光性を有する合成樹脂で形成され、合成樹脂として例えばアクリルが用いられている。
なお、プリズム２２を構成する材料は透光性を有する材料であればよく、例えば、ガラスで構成されていてもよいことは無論である。
プリズム２２は、円錐部２２０４が上方に位置し円錐部２２０４の軸線が上下方向を向いた状態で、円錐部２２０４の全部と柱体２２０２の一部が露出するように柱体２２０２の下部がケース５００２の上壁５００４の開口５００５に挿入された状態で配置されている。
円錐部２２０４の周面をなす円錐面２２０６は、外部から該円錐面２２０６に入射した光線を柱体２２０２の内部（柱体２２０２の内部から下端に向けて）に反射させる反射面を構成している。
本実施例では柱体２２０２は９ｍｍの直径で形成され、円錐部２２０４の頂角は７０度で形成され、円錐部２２０４の先端形状は例えばＲ＝１ｍｍ程度の球面形状としている。この球面形状の半径が大き過ぎると円錐面２２０６の面積を確保する上で不利となり、この球面形状の半径が小さ過ぎると加工が難しくなるため、Ｒ＝１ｍｍ程度が好ましく、このように円錐部２２０４の先端を球面形状とすることで頂部の欠損などによる円錐部２２０２の損傷を阻止する上で有利となる。
本実施例では、柱体２２０２の下端（円錐部２２０４と反対側の端部）には、円錐部２２０４の軸線と直交する方向に延在する柱体２２０２の輪郭よりも大きな矩形状の板部２２１０が形成されている。
【００１３】
受光素子２４は、柱体２２０２の下端に、すなわち、受光素子２４の中心軸が円錐部２２０４の軸線と合致するようにケース５００２の上部に配設され、円錐面２２０６に入射され、柱体２２０２を介して導かれた光を受光して検出信号を生成し前記増幅回路５１に供給するように構成されている。
柱体２２０２の下端の板部２２１０と受光素子２４との間には、柱体２２０２の板部２２１０から出射される光を受光素子２４に集光するための集光レンズ２６が設けられている。本実施例では、集光レンズ２６は、受光素子２４に一体に組み込まれている。
【００１４】
ケース５００２内部で受光素子２４の下方には、長方形状のプリント基板５０２０がその長辺方向を上下方向に合致させるとともに短辺方向を左右方向に合致させた状態で配設されている。
プリント基板５０２０には、前述した増幅回路５１、デコード回路５２、インターフェース回路５３を構成するＩＣ、コンデンサ、水晶発振器などの電子部品５０２２が実装されている。
プリント基板５０１０の下部には接続ケーブル５０１４の一端が接続され、接続ケーブル５０１４は下端壁５００６の開口を通して外方に導出される。接続ケーブ５０１４の他端には、図５に示すように、コンピュータ６０のＵＳＢ接続コネクタ６００２に接続されるＵＳＢ接続プラグ５０１６が設けられている。
【００１５】
図４、図５、図６に示すように、ケース５００２の側壁５００８には、赤外線受信装置５０をコンピュータ６０のディプレイ６２部分などの薄肉の部分に係脱可能に取着する取り付け具８０が設けられている。
取り付け付け具８０は、ケース５００２に対して互いに開閉するように揺動可能に結合された第１アーム８２および第２アーム８４と、それら第１アーム８２および第２アーム８４を互いに閉じる方向に付勢する付勢手段（不図示）とを備えている。
各第１、第２アーム８２、８４の先端には、ゴムなどのような摩擦係数の大きな挟持用部材８６が取着されている。
【００１６】
次に、プリズム２２の円錐部２２０４の特性について説明する。
図７（Ａ）、（Ｂ）、（Ｃ）、（Ｄ）は、赤外線送信装置１０から円錐部２２０４の軸線に向けて出射された赤外線信号Ｓの光線とプリズム２２の円錐部２２０４の軸線と直交する仮想面Ｐに対してなす角度θがそれぞれ０度、下方に１５度、下方に３０度、下方に４５度である場合におけるプリズム２２内部における光線の経路を示す説明図である。
図８（Ａ）、（Ｂ）、（Ｃ）、（Ｄ）は、赤外線送信装置１０から円錐部２２０４の軸線に向けて出射された赤外線信号Ｓの光線とプリズム２２の円錐部２２０４の軸線と直交する仮想面Ｐに対してなす角度θがそれぞれ上方に１５度、上方に３０度、上方に４５度、上方に６０度である場合におけるプリズム２２内部における光線の経路を示す説明図である。
なお、赤外線信号Ｓの光線が仮想面Ｐとなす角度θは、光線がプリズム２２に近づくにつれて下方に傾斜する角度を正とし、光線がプリズム２２に近づくにつれて上方に傾斜する角度を負として表す。
図７、図８に示すように、円錐面２２０６によって柱体２２０２の内部に反射された赤外線信号Ｓは、柱体２２０２によってその他端に導かれ端面から下方に向けて出射される。
この際、赤外線信号Ｓが仮想面Ｐに対してなす角度θに応じて柱体２２０２の端面から下方に出射される赤外線信号Ｓを構成する光線の拡散度合いが変化している。
発明者らの測定によれば、角度θが０度と９０度の場合に前記光線の拡散度合いが最も少なく、角度θが０度および９０度から離れるにつれて前記光線の拡散度合いが多くなる傾向にある。
【００１７】
図９は、プリズム２２の円錐部２２０４の頂角が７０度である場合に赤外線信号Ｓが仮想面Ｐに対してなす角度θと通信可能距離Ｌの関係を示す説明図である。
通信可能距離Ｌは、全方向受光装置２０の受光素子２４によって出力される検出信号の大きさが信号処理部５４で処理可能な最低レベルを確保することができる全方向受光装置２０と赤外線送信装置１０との間の距離である。
したがって、赤外線信号Ｓが仮想面Ｐに対してなす角度θに拘わらずこの通信可能距離Ｌが大きいほど赤外線送信装置１０の使用可能な範囲を広く確保することができ好ましいことになる。
図９に示すように、角度θが０度と９０度の場合に通信可能距離Ｌが極大値となっており、角度θが０度および９０度から離れるにつれて通信可能距離Ｌが低下している。
本発明者が、プリズム２２の円錐部２２０４の頂角を変えつつ通信可能距離Ｌを測定した結果、プリズム２２の円錐部２２０４の頂角が７０度のときに通信可能距離Ｌの最低値が最も高い値となり、したがって、プリズム２２の円錐部２２０４の頂角は７０度が好ましいことが判明した。
すなわち、図９に示すように、プリズム２２の円錐部２２０４の頂角が７０度の場合には、円錐部２２０４に入射する光線がなす角度θの変化に拘わらず通信可能距離Ｌの最低値が７ｍ確保されており、この通信可能距離Ｌの最低値は、前述した従来の全方向受光装置における通信可能距離Ｌの最低値よりも高い値となっている。
これは、従来の全方向受光装置におけるプリズムが、柱体の上面に逆錐体状の凹部を有し該錐体が柱体の側面から入射した光線に対する反射面を構成するため、柱体の上面外周に（逆錐体状の凹部の面と柱体の側面との境目に）全周にわたって稜線が形成されており、この稜線部分に光線が当たった場合に光線が拡散されてしまうため、光線を効率よく受光素子に導く上で不利があることによるものである。
これに対して本実施例の全方向受光装置２０では、プリズム２２の円錐部２２０４に稜線が存在しないため、稜線部分に光線が当たって光線が拡散されることがなく、光線を効率よく受光素子２４に導く上で有利となっている。
【００１８】
このような構成によれば、プリズム２２の円錐部２２０４の円錐面２２０６が外部から該円錐面２２０６に入射した光線を柱体２２０２の内部に反射させる反射面を構成することで、光線が柱体２２０２の下端に設けられた受光素子２４に効率よく導かれるため、全方向受光装置５０に対して赤外線信号Ｓを出射する赤外線送信装置１０の通信可能範囲を確保する上で有利となる。
特に、円錐部２２０４の頂角が７０度である場合、円錐部２２０４の軸線と直交する仮想面Ｐに対して円錐部２２０４に入射する光線がなす角度θの変化に拘わらず通信可能距離Ｌの最低値を大きく確保することができるので、全方向受光装置５０に対して赤外線信号Ｓを出射する赤外線送信装置１０の通信可能範囲を確保する上でより有利となる。
【００１９】
実施例のリモコン装置８は次のように使用される。
図５、図６に示すように、赤外線受信装置５０を取り付け具８０を介してコンピュータ６０のディスプレイ６２に取着する。この際、プリズム２２は円錐部２２０４がディスプレイ６２の上方に位置した状態で円錐部２２０４の軸線が上下に延在した状態となっている。
図１に示すように、赤外線送信装置１０の操作キー１１を操作すると、操作された操作キー１１に対応した赤外線信号Ｓの光線が発光素子１５から出射される。
出射された赤外線信号Ｓの光線のうち、全方向受光装置２０のプリズム２２の円錐面２２０６に入射した赤外線信号Ｓの光線は、図７あるいは図８のような経路を経て柱体２４の他端から出射され、集光レンズ２６によって集光されて受光素子２４に入射される。
受光素子２４は受光した赤外線信号Ｓの光線に対応する検出信号を生成し増幅回路５１に供給する。増幅回路５１によって増幅された検出信号がデコード回路５２でデコードされることによりデータコードがインターフェース回路５３を介してコンピュータ６０に供給される。
コンピュータ６０は供給されたデータコードを制御データとして入力し、入力された制御データに対応付けられた制御動作であるページ送り動作、あるいは、ブラックアウト表示の動作などを行う。
【００２０】
本実施例の赤外線リモコン装置８によれば、赤外線送信装置１０を操作して赤外線信号を赤外線受信装置５０に送信することによってコンピュータ６０に制御データを供給し、これによりコンピュータ６０に接続されたプロジェクタ７０を遠隔制御することができる。
また、本実施例の赤外線受信装置５０によれば、赤外線信号を受信することによってコンピュータ６０に制御データを供給し、これによりコンピュータ６０に接続されたプロジェクタ７０を遠隔制御することができる。
したがって、プロジェクタ７０に遠隔制御を行うための専用の構成を設ける必要が無いため、専用の構成を有しない既存のプロジェクタ７０を遠隔制御することができるため汎用性を確保する上で有利となるとともに、遠隔制御に要するコストを抑制する上で有利となる。
また、赤外線受信装置５０のインターフェース回路５３は、ほとんどのコンピュータ６０に備えられている汎用のインターフェースであるＵＳＢを介してコンピュータ６０に接続される。このため、コンピュータ６０に設けられたキーボードやマウスなどの入力装置用のシリアルインターフェース（汎用のインターフェースとは別に設けられた入出力用のインターフェース）を用いて赤外線受光装置５０を接続する場合と異なり、これら入力装置とは無関係に赤外線受信装置５０を独立して取り扱うことができる。したがって、赤外線受信装置５０を赤外線送信装置１０からの赤外線信号を受信しやすい箇所に、例えば、コンピュータ６０のディスプレイ装置６２の上縁や、あるいは、コンピュータ６０から離れた箇所でコンピュータ６０よりも上方の箇所などに赤外線受信装置５０を配置でき、赤外線送信装置１０および赤外線受信装置５０の動作を確実に行わせる上で有利となる。
【００２１】
なお、本実施例では、無線信号として赤外線信号を用いた場合について説明したが、無線信号としては、例えば、超音波信号、あるいは、電磁波信号を用いてもよいことはもちろんである。
また、本実施例では、コンピュータ６０から供給されるデータによって動作する電子機器がプロジェクタ７０である場合について説明したが、電子機器はプロジェクタ７０に限定されるものではなく、コンピュータからデータが供給されることによって動作するものであればよいことはもちろんである。
また、本実施例では、インターフェース回路５３による前記制御データのコンピュータ６０への出力がＵＳＢを介して行われる場合について説明したが、インターフェース回路５３とコンピュータ６０を接続する汎用のインターフェースは、ＵＳＢに限定されるものではなく、有線ＬＡＮ、無線ＬＡＮ、ＩＥＥＥ１３９４など、従来公知の様々な汎用インターフェースを適用可能である。
【図面の簡単な説明】
【００２２】
【図１】赤外線送信装置および赤外線受信装置を含む赤外線リモコン装置の一例を示すブロック図である。
【図２】（Ａ）は赤外線受信装置の平面図、（Ｂ）は（Ａ）のＢ矢視図、（Ｃ）は（Ａ）のＣ矢視図である。
【図３】（Ｄ）は図２（Ａ）のＤ矢視図、（Ｅ）は図２（Ｂ）のＥＥ線断面図、（Ｆ）は図２（Ａ）のＦＦ線断面図である。
【図４】赤外線受信装置の斜視図である。
【図５】赤外線受信装置がコンピュータに取り付けられた状態を示す説明図である。
【図６】図５の要部説明図である。
【図７】プリズムに入射する光の説明図である。
【図８】プリズムに入射する光の説明図である。
【図９】プリズム２２の円錐部２２０４の頂角が７０度である場合に赤外線信号Ｓが仮想面Ｐに対してなす角度θと通信可能距離Ｌの関係を示す説明図である。
【符号の説明】
【００２３】
１０……赤外線送信装置、１１……操作キー、１２……エンコード回路、１３……変調回路、１４……増幅回路、１５……発光素子、２０……全方向受光装置、５０……赤外線受信装置、５１……増幅回路、５２……デコード回路、５３……インターフェース回路、６０……コンピュータ、７０……プロジェクタ。
【図１】
2006179995.tif 000003
【図２】
2006179995.tif 000004
【図３】
2006179995.tif 000005
【図４】
2006179995.tif 000006
【図５】
2006179995.tif 000007
【図６】
2006179995.tif 000008
【図７】
2006179995.tif 000009
【図８】
2006179995.tif 000010
【図９】
2006179995.tif 000011
【手続補正書】
【提出日】平成17年12月9日(2005.12.9)
【手続補正１】
【補正対象書類名】特許請求の範囲
【補正対象項目名】全文
【補正方法】変更
【補正の内容】
【特許請求の範囲】
【請求項１】
操作部材を有し該操作部材の操作に応じた制御データを生成する入力手段と、前記制御データをデータコードに変換するエンコード手段と、前記データコードに対応した無線信号を送信する送信手段とを有する送信装置と、
前記無線信号を受信して検出信号を生成する受信手段と、前記検出信号に基づいて復調されたデータコードを制御データに変換するデコード手段と、コンピュータに接続され、前記制御データを変換して前記コンピュータに出力するインターフェース手段とを有する受信装置とを備え、
前記コンピュータには、該コンピュータから供給されるデータによって動作する電子機器が接続され、
前記コンピュータは前記インターフェース手段から供給される前記制御データに基づいて前記電子機器に前記データを供給するように構成されている、
ことを特徴とする遠隔制御システム。
【請求項２】
前記電子機器はスクリーンに画像を表示するプロジェクタであり、前記コンピュータは該コンピュータにインストールされたアプリケーションプログラムを実行することによって、前記プロジェクタに前記画像を表示させるための映像信号を供給するように構成され、前記制御データは前記アプリケーションプログラムの動作を制御する信号であることを特徴とする請求項１記載の遠隔制御システム。
【請求項３】
前記アプリケーションプログラムは、前記プロジェクタによって前記画像を１ページずつスライドショー形式でスクリーンに表示させるものであり、前記制御データは前記プロジェクタにより前記スクリーンに表示する画像を１ページ分送る動作、および、前記プロジェクタにより前記スクリーンに表示する画像を一様な黒色あるいは一様な白色として表示させる動作の双方あるいは何れか一方の動作を前記プロジェクタに行わせる制御データであることを特徴とする請求項２記載の遠隔制御システム。
【請求項４】
前記無線信号は赤外線信号であることを特徴とする請求項１記載の遠隔制御システム。
【請求項５】
前記無線信号は赤外線信号であり、前記送信手段による前記無線信号の送信は、所定のキャリア周波数でオン／オフされる赤外線信号を「０」と「１」の２値に応じて変調することでなされることを特徴とする請求項１記載の遠隔制御システム。
【請求項６】
前記コンピュータは、コンピュータに設けられている入力装置用のインターフェースと、この入力装置用のインターフェースとは別に設けられた汎用インターフェースとを備え、前記インターフェース手段による前記制御データの出力は前記別に設けられた汎用インターフェースを用いて行われることを特徴とする請求項1記載の遠隔制御システム。
【請求項７】
前記汎用インターフェースはＵＳＢ（Ｕｎｉｖｅｒｓａｌ  Ｓｅｒｉａｌ  Ｂｕｓ）であることを特徴とする請求項６記載の遠隔制御システム。
【請求項８】
制御データを変換したデータコードに基づいて生成された無線信号を受信して検出信号を生成する受信手段と、
前記検出信号に基づいて復調された前記データコードを制御データに変換するデコード手段と、
コンピュータに接続され、前記制御データを変換して前記コンピュータに出力するインターフェース手段とを有する受信装置とを備え、
前記コンピュータには、該コンピュータから供給されるデータによって動作する電子機器が接続され、
前記コンピュータは前記インターフェース手段から供給される前記制御データに基づいて前記電子機器に前記データを供給するように構成されている、
ことを特徴とする受信装置。
【請求項９】
前記電子機器はスクリーンに画像を表示するプロジェクタであり、前記コンピュータは該コンピュータにインストールされたアプリケーションプログラムを実行することによって、前記プロジェクタに前記画像を表示させるための映像信号を供給するように構成され、前記制御データは前記アプリケーションプログラムの動作を制御する信号であることを特徴とする請求項８記載の受信装置。
【請求項１０】
前記アプリケーションプログラムは、前記プロジェクタによって前記画像を１ページずつスライドショー形式でスクリーンに表示させるものであり、前記制御データは前記プロジェクタにより前記スクリーンに表示する画像を１ページ分送る動作、および、前記プロジェクタにより前記スクリーンに表示する画像を一様な黒色あるいは一様な白色として表示させる動作の双方あるいは何れか一方の動作を前記プロジェクタに行わせる制御データであることを特徴とする請求項９記載の受信装置。
【請求項１１】
前記無線信号は赤外線信号であることを特徴とする請求項８記載の受信装置。
【請求項１２】
前記無線信号は赤外線信号であり、前記送信手段による前記無線信号の送信は、所定のキャリア周波数でオン／オフされる赤外線信号を「０」と「１」の２値に応じて変調することでなされることを特徴とする請求項８記載の受信装置。
【請求項１３】
前記インターフェース手段による前記制御データの出力はコンピュータに設けられている入力装置用のインターフェースとは別に設けられている汎用インターフェースを用いて行われることを特徴とする請求項８記載の受信装置。
【請求項１４】
前記汎用インターフェースはＵＳＢ（Ｕｎｉｖｅｒｓａｌ  Ｓｅｒｉａｌ  Ｂｕｓ）であることを特徴とする請求項１３記載の受信装置。
【手続補正２】
【補正対象書類名】明細書
【補正対象項目名】０００４
【補正方法】変更
【補正の内容】
【０００４】
上述の目的を達成するため、本発明の遠隔制御システムは、操作部材を有し該操作部材の操作に応じた制御データを生成する入力手段と、前記制御データをデータコードに変換するエンコード手段と、前記データコードに対応した無線信号を送信する送信手段とを有する送信装置と、前記無線信号を受信して検出信号を生成する受信手段と、前記検出信号に基づいて復調されたデータコードを制御データに変換するデコード手段と、コンピュータに接続され、前記制御データを変換して前記コンピュータに出力するインターフェース手段とを有する受信装置とを備え、前記コンピュータには、該コンピュータから供給されるデータによって動作する電子機器が接続され、前記コンピュータは前記インターフェース手段から供給される前記制御データに基づいて前記電子機器に前記データを供給するように構成されていることを特徴とする。
また、本発明の受信装置は、制御データを変換したデータコードに基づいて生成された無線信号を受信して検出信号を生成する受信手段と、前記検出信号に基づいて復調された前記データコードを制御データに変換するデコード手段と、コンピュータに接続され、前記制御データを変換して前記コンピュータに出力するインターフェース手段とを有する受信装置とを備え、前記コンピュータには、該コンピュータから供給されるデータによって動作する電子機器が接続され、前記コンピュータは前記インターフェース手段から供給される前記制御データに基づいて前記電子機器に前記データを供給するように構成されていることを特徴とする。
【手続補正３】
【補正対象書類名】明細書
【補正対象項目名】０００８
【補正方法】変更
【補正の内容】
【０００８】
図１に示すように、赤外線リモコン装置８は赤外線送信装置１０と赤外線受信装置５０を含んで構成され、本実施例では、赤外線リモコン装置８によって本発明の遠隔制御システムが構成され、赤外線送信装置１０によって本発明の送信装置が構成され、赤外線受信装置５０によって本発明の受信装置が構成されている。
赤外線受信装置５０は、ＵＳＢ（Ｕｎｉｖｅｒｓａｌ  Ｓｅｒｉａｌ  Ｂｕｓ）などの多くのコンピュータに標準的に設けられている汎用インターフェースを介してコンピュータ６０に接続されコンピュータ６０と通信可能に構成されている。
コンピュータ６０はディスプレイ６２（図５）を有し、コンピュータ６０にインストールされているアプリケーションプログラムに基づいて動作することによって、文字や静止画あるいは動画を含む画像をディスプレイ６２に表示させるように構成されている。
また、コンピュータ６０は、スクリーンに画像を表示するプロジェクタ７０に接続されるとともに、該コンピュータ６０にインストールされたアプリケーションプログラムを実行することによって、プロジェクタ７０に前記画像を表示させるための映像信号（ビデオ信号）を供給するように構成されている。
前記アプリケーションプログラムは、プロジェクタ７０によって画像を１ページずつスライドショー形式でスクリーンに表示させるものである。
このアプリケーションプログラムを実行するコンピュータ６０は、コンピュータ６０のキーボード６１の所定のキーが操作されることで、前記スクリーンに表示する画像を１ページ分送る動作（ページ送り動作）、および、プロジェクタ７０により前記スクリーンに表示する画像を一様な黒色として表示させるブラックアウト表示の動作、前記スクリーンに表示する画像を一様な白色として表示させるホワイトアウト表示の動作などをプロジェクタ７０に実行させるように構成されている。
また、コンピュータ６０は、前記所定のキーが操作されたのと同等の制御データが入力されることで、これらページ送り動作やブラックアウト表示、ホワイトアウト表示などの動作を行うように構成されている。
プロジェクタ７０は、コンピュータ６０から供給される映像信号に基づいて画像を形成する液晶表示素子と、その液晶表示素子に向けて光を出射させ透過させることで前記画像で変調された光を出射させる光源と、前記液晶表示素子から出射された光線を不図示のスクリーンに結像させる光学系などを有している。
【手続補正４】
【補正対象書類名】明細書
【補正対象項目名】０００９
【補正方法】変更
【補正の内容】
【０００９】
赤外線送信装置１０は、複数の操作キー１１と、エンコード回路１２と、変調回路１３と、増幅回路１４と、発光素子１５とを備えている。
複数の操作キー１１は、コンピュータ６０に与える操作指令が割り当てられ、操作に応じた制御データを生成するように構成されている。
エンコード回路１５は、操作キー１１から入力される前記制御データに応じて２進で表現される（「０」と「１」の組み合わせで表現される）データコードを生成するように構成されている。
変調回路１３は、前記データコードに応じてキャリア信号を変調するように構成されている。
増幅回路１４は、変調回路１３から入力される変調信号を増幅して駆動信号として出力するように構成されている。
発光素子１５は、増幅回路１４から供給される駆動信号に基づいて無線信号としての赤外線信号Ｓ（光線）を出力するように構成されている。
本実施例では、操作キー１１によって特許請求の範囲の操作部材が構成され、エンコード回路１５によって特許請求の範囲のエンコード手段が構成され、変調回路１５と増幅回路１４と発光素子１５によって特許請求の範囲の送信手段が構成されている。
【手続補正５】
【補正対象書類名】明細書
【補正対象項目名】００１０
【補正方法】変更
【補正の内容】
【００１０】
赤外線受信装置５０は全方向受光装置２０と信号処理部５４とを備えている。
全方向受光装置２０は発光素子１５から送信された赤外線信号Ｓ（光線）を受光して検出信号（受光信号）を出力するように構成されている。
信号処理部５４は、増幅回路５１と、デコード回路５２と、インターフェース回路５３とを備えている。
増幅回路５１は、全方向受光装置２０から出力される検出信号を増幅するように構成されている。
デコード回路５２は、増幅回路５１から出力される増幅された検出信号を復調することにより前記データコードに変換し、さらにこのデータコードを復号化し制御データとして出力するように構成されている。
インターフェース回路５３は、デコード回路５２から供給される制御データをＵＳＢのデータに変換してコンピュータ６０に供給するように構成されている。
前記制御データは、コンピュータ６０が処理可能な制御データであって、本実施例では、ページ送り動作、ブラックアウト表示、ホワイトアウト表示などの動作をコンピュータ６０に行わせるものである。
本実施例では、全方向受光装置２０によって特許請求の範囲の受信手段が構成され、増幅回路５１とデコード回路５２によって特許請求の範囲のデコード手段が構成され、インターフェース回路５３によって特許請求の範囲のインターフェース手段が構成されている。
【手続補正６】
【補正対象書類名】明細書
【補正対象項目名】００１６
【補正方法】変更
【補正の内容】
【００１６】
次に、プリズム２２の円錐部２２０４の特性について説明する。
図７乃至図１０は、赤外線送信装置１０から円錐部２２０４の軸線に向けて出射された赤外線信号Ｓの光線とプリズム２２の円錐部２２０４の軸線と直交する仮想面Ｐに対してなす角度θがそれぞれ０度、下方に１５度、下方に３０度、下方に４５度である場合におけるプリズム２２内部における光線の経路を示す説明図である。
図１１乃至図１４は、赤外線送信装置１０から円錐部２２０４の軸線に向けて出射された赤外線信号Ｓの光線とプリズム２２の円錐部２２０４の軸線と直交する仮想面Ｐに対してなす角度θがそれぞれ上方に１５度、上方に３０度、上方に４５度、上方に６０度である場合におけるプリズム２２内部における光線の経路を示す説明図である。
なお、赤外線信号Ｓの光線が仮想面Ｐとなす角度θは、光線がプリズム２２に近づくにつれて下方に傾斜する角度を正とし、光線がプリズム２２に近づくにつれて上方に傾斜する角度を負として表す。
図７乃至図１４に示すように、円錐面２２０６によって柱体２２０２の内部に反射された赤外線信号Ｓは、柱体２２０２によってその他端に導かれ端面から下方に向けて出射される。
この際、赤外線信号Ｓが仮想面Ｐに対してなす角度θに応じて柱体２２０２の端面から下方に出射される赤外線信号Ｓを構成する光線の拡散度合いが変化している。
発明者らの測定によれば、角度θが０度と９０度の場合に前記光線の拡散度合いが最も少なく、角度θが０度および９０度から離れるにつれて前記光線の拡散度合いが多くなる傾向にある。
【手続補正７】
【補正対象書類名】明細書
【補正対象項目名】００１７
【補正方法】変更
【補正の内容】
【００１７】
図１５は、プリズム２２の円錐部２２０４の頂角が７０度である場合に赤外線信号Ｓが仮想面Ｐに対してなす角度θと通信可能距離Ｌの関係を示す説明図である。
通信可能距離Ｌは、全方向受光装置２０の受光素子２４によって出力される検出信号の大きさが信号処理部５４で処理可能な最低レベルを確保することができる全方向受光装置２０と赤外線送信装置１０との間の距離である。
したがって、赤外線信号Ｓが仮想面Ｐに対してなす角度θに拘わらずこの通信可能距離Ｌが大きいほど赤外線送信装置１０の使用可能な範囲を広く確保することができ好ましいことになる。
図１５に示すように、角度θが０度と９０度の場合に通信可能距離Ｌが極大値となっており、角度θが０度および９０度から離れるにつれて通信可能距離Ｌが低下している。
本発明者が、プリズム２２の円錐部２２０４の頂角を変えつつ通信可能距離Ｌを測定した結果、プリズム２２の円錐部２２０４の頂角が７０度のときに通信可能距離Ｌの最低値が最も高い値となり、したがって、プリズム２２の円錐部２２０４の頂角は７０度が好ましいことが判明した。
すなわち、図１５に示すように、プリズム２２の円錐部２２０４の頂角が７０度の場合には、円錐部２２０４に入射する光線がなす角度θの変化に拘わらず通信可能距離Ｌの最低値が７ｍ確保されており、この通信可能距離Ｌの最低値は、前述した従来の全方向受光装置における通信可能距離Ｌの最低値よりも高い値となっている。
これは、従来の全方向受光装置におけるプリズムが、柱体の上面に逆錐体状の凹部を有し該錐体が柱体の側面から入射した光線に対する反射面を構成するため、柱体の上面外周に（逆錐体状の凹部の面と柱体の側面との境目に）全周にわたって稜線が形成されており、この稜線部分に光線が当たった場合に光線が拡散されてしまうため、光線を効率よく受光素子に導く上で不利があることによるものである。
これに対して本実施例の全方向受光装置２０では、プリズム２２の円錐部２２０４に稜線が存在しないため、稜線部分に光線が当たって光線が拡散されることがなく、光線を効率よく受光素子２４に導く上で有利となっている。
【手続補正８】
【補正対象書類名】明細書
【補正対象項目名】００１９
【補正方法】変更
【補正の内容】
【００１９】
実施例のリモコン装置８は次のように使用される。
図５、図６に示すように、赤外線受信装置５０を取り付け具８０を介してコンピュータ６０のディスプレイ６２に取着する。この際、プリズム２２は円錐部２２０４がディスプレイ６２の上方に位置した状態で円錐部２２０４の軸線が上下に延在した状態となっている。
図１に示すように、操作指令が割り付けられた赤外線送信装置１０の操作キー１１を操作すると、操作された操作キー１１に対応した制御データが生成され、この制御データに対応した赤外線信号Ｓの光線が発光素子１５から出射される。
出射された赤外線信号Ｓの光線のうち、全方向受光装置２０のプリズム２２の円錐面２２０６に入射した赤外線信号Ｓの光線は、図７乃至図１４のような経路を経て柱体２４の他端から出射され、集光レンズ２６によって集光されて受光素子２４に入射される。
受光素子２４は受光した赤外線信号Ｓの光線に対応する検出信号を生成し増幅回路５１に供給する。増幅回路５１によって増幅された検出信号がデコード回路５２でデコードされ復号化されて制御データとなり、この制御データがインターフェース回路５３を介してコンピュータ６０に供給される。
コンピュータ６０は入力された制御データに対応付けられた制御動作であるページ送り動作、あるいは、ブラックアウト表示の動作などを行う。
【手続補正９】
【補正対象書類名】明細書
【補正対象項目名】００２２
【補正方法】変更
【補正の内容】
【００２２】
【図１】赤外線送信装置および赤外線受信装置を含む赤外線リモコン装置の一例を示すブロック図である。
【図２】（Ａ）は赤外線受信装置の平面図、（Ｂ）は（Ａ）のＢ矢視図、（Ｃ）は（Ａ）のＣ矢視図である。
【図３】（Ｄ）は図２（Ａ）のＤ矢視図、（Ｅ）は図２（Ｂ）のＥＥ線断面図、（Ｆ）は図２（Ａ）のＦＦ線断面図である。
【図４】赤外線受信装置の斜視図である。
【図５】赤外線受信装置がコンピュータに取り付けられた状態を示す説明図である。
【図６】図５の要部説明図である。
【図７】プリズムに入射する光の説明図である。
【図８】プリズムに入射する光の説明図である。
【図９】プリズムに入射する光の説明図である。
【図１０】プリズムに入射する光の説明図である。
【図１１】プリズムに入射する光の説明図である。
【図１２】プリズムに入射する光の説明図である。
【図１３】プリズムに入射する光の説明図である。
【図１４】プリズムに入射する光の説明図である。
【図１５】プリズム２２の円錐部２２０４の頂角が７０度である場合に赤外線信号Ｓが仮想面Ｐに対してなす角度θと通信可能距離Ｌの関係を示す説明図である。
【手続補正１０】
【補正対象書類名】図面
【補正対象項目名】図３
【補正方法】変更
【補正の内容】
【図３】
2006179995.tif 000012
【手続補正１１】
【補正対象書類名】図面
【補正対象項目名】図７
【補正方法】変更
【補正の内容】
【図７】
2006179995.tif 000013
【手続補正１２】
【補正対象書類名】図面
【補正対象項目名】図８
【補正方法】変更
【補正の内容】
【図８】
2006179995.tif 000014
【手続補正１３】
【補正対象書類名】図面
【補正対象項目名】図９
【補正方法】変更
【補正の内容】
【図９】
2006179995.tif 000015
【手続補正１４】
【補正対象書類名】図面
【補正対象項目名】図１０
【補正方法】追加
【補正の内容】
【図１０】
2006179995.tif 000016
【手続補正１５】
【補正対象書類名】図面
【補正対象項目名】図１１
【補正方法】追加
【補正の内容】
【図１１】
2006179995.tif 000017
【手続補正１６】
【補正対象書類名】図面
【補正対象項目名】図１２
【補正方法】追加
【補正の内容】
【図１２】
2006179995.tif 000018
【手続補正１７】
【補正対象書類名】図面
【補正対象項目名】図１３
【補正方法】追加
【補正の内容】
【図１３】
2006179995.tif 000019
【手続補正１８】
【補正対象書類名】図面
【補正対象項目名】図１４
【補正方法】追加
【補正の内容】
【図１４】
2006179995.tif 000020
【手続補正１９】
【補正対象書類名】図面
【補正対象項目名】図１５
【補正方法】追加
【補正の内容】
【図１５】
2006179995.tif 000021